(57)【特許請求の範囲】
【請求項１】
回転軸に沿って延設されるシャフトと、
前記シャフトの外周面に取付けられ、前記回転軸を中心とする環状に形成される継鉄と、
前記継鉄の外周面から外周側に突出する鉄心と、前記鉄心に巻回される界磁巻線と、を備える磁極と、
前記回転軸に沿う軸方向の一方側から前記継鉄に取付けられるファンと、
前記界磁巻線に一端が接続される導電帯と、
前記軸方向について前記継鉄とは反対側へ前記ファンから突出する突起部材と、
前記軸方向について前記継鉄とは反対側へ前記ファンから離れた状態で前記突起部材に取付けられる第１の金具と、
前記導電帯及び前記第１の金具に取付けられる第１の糸と、
を具備し、
前記導電帯は、前記界磁巻線への接続位置から前記回転軸に沿って前記磁極から離れる側へ向かって延設される軸方向延設部を備え、
前記第１の金具は、
前記突起部材へ接続される接続板部と、
周方向に沿って延設され、前記導電帯の前記軸方向延設部と一緒に前記第１の糸によって縛られることにより、前記軸方向延設部を支持する支持板部と、
前記接続板部から前記支持板部まで前記外周側へ向かって延設され、前記周方向についての前記支持板部の第１の寸法に比べ、径方向に沿った第２の寸法が大きい中継板部と、
を備える、回転電機の回転子。
【請求項２】
前記突起部材は、第１の突起部材と、前記周方向について前記第１の突起部材から離れて配置される第２の突起部材と、を備え、
前記接続板部は、前記第１の突起部材に接続される第１の接続板部と、前記第２の突起部材に接続され、前記周方向について前記第１の接続板部から離れて配置される第２の接続板部と、を備え、
前記中継板部は、前記第１の接続板部から前記支持板部まで前記外周側へ向かって前記第２の寸法に渡って延設される第１の中継板部と、前記第２の接続板部から前記支持板部まで前記外周側へ向かって前記第２の寸法に渡って延設され、前記周方向について前記第１の中継板部から離れて配置される第２の中継板部と、を備え、
前記支持板部は、前記第１の中継板部から前記第２の中継板部まで前記周方向に沿って延設され、
前記第１の金具は、前記軸方向から視てゲート形状、に形成される、
請求項１の回転子。
【請求項３】
前記第１の金具は、前記軸方向から視て、Ｉ字形状に形成される、請求項１の回転子。
【請求項４】
前記第１の金具の前記支持板部は、前記径方向について内周側から前記導電帯の前記軸方向延設部に隣接する状態で前記軸方向延設部を支持する、請求項１乃至３のいずれか１項の回転子。
【請求項５】
前記第１の金具の前記支持板部は、前記径方向について前記外周側から前記導電帯の前記軸方向延設部に隣接する状態で前記軸方向延設部を支持する、請求項１乃至３のいずれか１項の回転子。
【請求項６】
前記径方向について前記接続板部に対して前記外周側で、かつ、前記支持板部及び前記軸方向延設部に対して内周側に配置され、前記軸方向について前記継鉄とは反対側から前記ファンに取付けられる第２の金具であって、前周方向から視てＰ字状に形成される第２の金具と、
前記導電帯及び前記第２の金具に取付けられる第２の糸と、
をさらに具備し、
前記導電帯は、前記界磁巻線への接続位置とは反対側の端で前記軸方向延設部に接続されるとともに、前記軸方向延設部から前記径方向に沿って内周側へ延設される径方向延設部を備え、
前記第２の金具は、前記軸方向について前記径方向延設部と前記ファンとの間に配置されるとともに、前記導電帯の前記径方向延設部と一緒に前記第２の糸によって縛られることにより、前記軸方向について前記ファンが位置する側から前記径方向延設部を支持する、
請求項１乃至５のいずれか１項の回転子。
【請求項７】
回転軸に沿って延設されるシャフトと、
前記シャフトの外周面に取付けられ、前記回転軸を中心とする環状に形成される継鉄と、
前記継鉄の外周面から外周側に突出する鉄心と、前記鉄心に巻回される界磁巻線と、を備える磁極と、
前記回転軸に沿う軸方向の一方側から前記継鉄に取付けられるファンと、
前記界磁巻線に一端が接続される導電帯と、
前記軸方向について前記継鉄とは反対側へ前記ファンから突出する突起部材と、
前記軸方向について前記継鉄とは反対側へ前記ファンから離れた状態で前記突起部材に取付けられる金具と、
を具備し、
前記導電帯は、前記界磁巻線への接続位置から前記回転軸に沿って前記磁極から離れる側へ向かって延設される軸方向延設部を備え、
前記金具は、
前記突起部材へ接続される接続板部と、
周方向に沿って延設される支持板部と、 
前記接続板部から前記支持板部まで前記外周側へ向かって延設され、前記周方向についての前記支持板部の第１の寸法に比べ、径方向に沿った第２の寸法が大きい中継板部と、
を備え、
前記突起部材は、第１の突起部材と、前記周方向について前記第１の突起部材から離れて配置される第２の突起部材と、を備え、
前記接続板部は、前記第１の突起部材に接続される第１の接続板部と、前記第２の突起部材に接続され、前記周方向について前記第１の接続板部から離れて配置される第２の接続板部と、を備え、
前記中継板部は、前記第１の接続板部から前記支持板部まで前記外周側へ向かって前記第２の寸法に渡って延設される第１の中継板部と、前記第２の接続板部から前記支持板部まで前記外周側へ向かって前記第２の寸法に渡って延設され、前記周方向について前記第１の中継板部から離れて配置される第２の中継板部と、を備え、
前記支持板部は、前記第１の中継板部から前記第２の中継板部まで前記周方向に沿って延設され、
前記金具は、前記軸方向から視てゲート形状、に形成され、
前記導電帯の前記軸方向延設部の幅寸法は、前記金具における前記第１の中継板部と前記第２の中継板部との間の離間距離と一致し、
前記導電帯の前記軸方向延設部では、前記導電帯の幅方向が前記周方向と一致し、
前記軸方向延設部は、前記周方向について前記第１の中継板部と前記第２の中継板部との間で挟まれた状態で、前記金具の前記支持板部に径方向について前記外周側から支持される、
回転電機の回転子。
【発明の詳細な説明】
【技術分野】
【０００１】
本発明の実施形態は、回転電機の回転子に関するものであり、回転子において磁極の界磁巻線に接続される導電帯の支持構造に関するものである。
【背景技術】
【０００２】
固定子及び回転子を備える回転電機として、発電機及び電動機等が知られている。特許文献１には、回転電機となる発電機が開示されている。この発電機では、回転子は、回転軸を中心として固定子に対して回転可能であり、固定子の内周側に回転子が配置される。また、回転子は、回転軸に沿って延設されるシャフトと、シャフトの外周面に取付けられる継鉄と、を備える。継鉄は、回転軸を中心とする環状に形成される。また、回転子では、継鉄の外周面に複数の磁極が取付けられ、複数の磁極は、周方向について互いに対して間隔を空けて配置される。複数の磁極のそれぞれは、継鉄の外周面から外周側へ突出する鉄心と、鉄心に界磁巻線として巻回される巻線（回転子巻線）と、を備える。複数の磁極の巻線は、互いに対して電気的に接続されるとともに、整流器に電気的に接続される。整流器からの直流電流が複数の磁極のそれぞれの巻線に流れている状態で回転子が回転することにより、回転磁界が形成される。これにより、固定子の巻線（固定子巻線）の鎖交磁束が経時的に変化し、電磁誘導によって固定子の巻線に起電力が発生する。
【先行技術文献】
【特許文献】
【０００３】
【特許文献１】特開２００８−２８３８２９号公報
【発明の概要】
【発明が解決しようとする課題】
【０００４】
前述のような回転電機である発電機として、回転子の複数の磁極の中の対応する２つにおいて、導電帯を間に介して整流器からのケーブルに巻線（回転子巻線）が接続されるものがある。前述のように導電帯を間に介して磁極の巻線が整流器からのケーブルに接続される構成では、磁極の巻線への導電帯の接続が適切に確保されることが求められる。
【０００５】
本発明が解決しようとする課題は、導電帯を間に介して磁極の巻線が整流器からのケーブルに接続される構成において、磁極の巻線への導電帯の接続が適切に確保される回転電機の回転子を提供することにある。
【課題を解決するための手段】
【０００６】
実施形態によれば、回転電機の回転子は、回転軸に沿って延設されるシャフトと、前記シャフトの外周面に取付けられ、前記回転軸を中心とする環状に形成される継鉄と、前記継鉄の外周面から外周側に突出する鉄心と、前記鉄心に巻回される界磁巻線と、を備える磁極と、前記回転軸に沿う軸方向の一方側から前記継鉄に取付けられるファンと、前記界磁巻線に一端が接続される導電帯と、前記軸方向について前記継鉄とは反対側へ前記ファンから突出する突起部材と、前記軸方向について前記継鉄とは反対側へ前記ファンから離れた状態で前記突起部材に取付けられる金具と、前記導電帯及び前記金具に取付けられる糸と、を備え、前記導電帯は、前記界磁巻線への接続位置から前記回転軸に沿って前記磁極から離れる側へ向かって延設される軸方向延設部を備え、前記金具は、前記突起部材へ接続される接続板部と、周方向に沿って延設され、前記導電帯の前記軸方向延設部と一緒に前記糸によって縛られることにより、前記軸方向延設部を支持する支持板部と、前記接続板部から前記支持板部まで前記外周側へ向かって延設され、前記周方向についての前記支持板部の第１の寸法に比べ、径方向に沿った第２の寸法が大きい中継板部と、を備える。
【０００７】
実施形態によれば、回転電機の回転子は、回転軸に沿って延設されるシャフトと、前記シャフトの外周面に取付けられ、前記回転軸を中心とする環状に形成される継鉄と、前記継鉄の外周面から外周側に突出する鉄心と、前記鉄心に巻回される界磁巻線と、を備える磁極と、前記回転軸に沿う軸方向の一方側から前記継鉄に取付けられるファンと、前記界磁巻線に一端が接続される導電帯と、前記軸方向について前記継鉄とは反対側へ前記ファンから突出する突起部材と、前記軸方向について前記継鉄とは反対側へ前記ファンから離れた状態で前記突起部材に取付けられる金具と、を備え、前記導電帯は、前記界磁巻線への接続位置から前記回転軸に沿って前記磁極から離れる側へ向かって延設される軸方向延設部を備え、前記金具は、前記突起部材へ接続される接続板部と、周方向に沿って延設される支持板部と、 前記接続板部から前記支持板部まで前記外周側へ向かって延設され、前記周方向についての前記支持板部の第１の寸法に比べ、径方向に沿った第２の寸法が大きい中継板部と、を備え、前記突起部材は、第１の突起部材と、前記周方向について前記第１の突起部材から離れて配置される第２の突起部材と、を備え、前記接続板部は、前記第１の突起部材に接続される第１の接続板部と、前記第２の突起部材に接続され、前記周方向について前記第１の接続板部から離れて配置される第２の接続板部と、を備え、前記中継板部は、前記第１の接続板部から前記支持板部まで前記外周側へ向かって前記第２の寸法に渡って延設される第１の中継板部と、前記第２の接続板部から前記支持板部まで前記外周側へ向かって前記第２の寸法に渡って延設され、前記周方向について前記第１の中継板部から離れて配置される第２の中継板部と、を備え、前記支持板部は、前記第１の中継板部から前記第２の中継板部まで前記周方向に沿って延設され、前記金具は、前記軸方向から視てゲート形状、に形成され、前記導電帯の前記軸方向延設部の幅寸法は、前記金具における前記第１の中継板部と前記第２の中継板部との間の離間距離と一致し、前記導電帯の前記軸方向延設部では、前記導電帯の幅方向が前記周方向と一致し、前記軸方向延設部は、前記周方向について前記第１の中継板部と前記第２の中継板部との間で挟まれた状態で、前記金具の前記支持板部に径方向について前記外周側から支持される。
【発明の効果】
【０００８】
実施形態によれば、導電帯を間に介して磁極の巻線が整流器からのケーブルに接続される構成において、磁極の巻線への導電帯の接続が適切に確保される回転電機の回転子を提供することができる。
【図面の簡単な説明】
【０００９】
【図１】図１は、第１の実施形態に係る回転電機の一例として発電機を示す概略図である。
【図２】図２は、第１の実施形態に係る発電機の回転子を、軸方向に垂直又は略垂直な断面で示す概略図である。
【図３】図３は、第１の実施形態に係る回転子において、（ａ）は一方のファン及びその近傍を詳細に示す図、（ｂ）は（ａ）の範囲Ａ１を拡大して示す図、（ｃ）は（ａ）において矢印Ｂ１からの矢視を示す図、（ｄ）は（ｃ）において矢印Ｃ１からの矢視を示す図である。
【図４】図４は、第１の実施形態に係る回転子の金具（第１の金具）の構成を概略的に示す斜視図である。
【図５】図５は、比較例に係る回転子において、（ａ）は一方のファン及びその近傍を詳細に示す図、（ｂ）は（ａ）の範囲Ａ０を拡大して示す図、（ｃ）は（ａ）において矢印Ｂ０からの矢視を示す図、（ｄ）は（ｃ）において矢印Ｃ０からの矢視を示す図である。
【図６】図６は、比較例において、磁極にねじり振動トルクが発生した状態での、導電帯の巻線への接続位置及びその近傍を示す概略図である。
【図７】図７は、第１の実施形態において、磁極にねじり振動トルクが発生した状態での金具（第１の金具）を示す概略図である。
【図８】図８は、第２の実施形態に係る回転子において、（ａ）は一方のファン及びその近傍を詳細に示す図、（ｂ）は（ａ）の範囲Ａ２を拡大して示す図、（ｃ）は（ａ）において矢印Ｂ２からの矢視を示す図、（ｄ）は（ｃ）において矢印Ｃ２からの矢視を示す図である。
【図９】図９は、第３の実施形態に係る回転子において、（ａ）は一方のファン及びその近傍を詳細に示す図、（ｂ）は（ａ）の範囲Ａ３を拡大して示す図、（ｃ）は（ａ）において矢印Ｂ３からの矢視を示す図、（ｄ）は（ｃ）において矢印Ｃ３からの矢視を示す図である。
【図１０】図１０は、第４の実施形態に係る回転子において、（ａ）は一方のファン及びその近傍を詳細に示す図、（ｂ）は（ａ）の範囲Ａ４を拡大して示す図、（ｃ）は（ａ）において矢印Ｂ４からの矢視を示す図、（ｄ）は（ｃ）において矢印Ｃ４からの矢視を示す図である。
【図１１】図１１は、第５の実施形態に係る回転子において、（ａ）は一方のファン及びその近傍を詳細に示す図、（ｂ）は（ａ）の範囲Ａ５を拡大して示す図、（ｃ）は（ａ）において矢印Ｂ５からの矢視を示す図、（ｄ）は（ｃ）において矢印Ｃ５からの矢視を示す図である。
【図１２】図１２は、第６の実施形態に係る回転子において、（ａ）は一方のファン及びその近傍を詳細に示す図、（ｂ）は（ａ）の範囲Ａ６を拡大して示す図、（ｃ）は（ａ）において矢印Ｂ６からの矢視を示す図、（ｄ）は（ｃ）において矢印Ｃ６からの矢視を示す図である。
【図１３】図１３は、第６の実施形態に係る回転子の金具（第１の金具）の構成を概略的に示す斜視図である。
【図１４】図１４は、ある変形例に係る回転子の金具（第１の金具）の構成を概略的に示す斜視図である。
【発明を実施するための形態】
【００１０】
以下、実施形態について、図面を参照して説明する。
【００１１】
（第１の実施形態）  
図１は、第１の実施形態に係る回転電機の一例として発電機３０を示す。図１に示すように、発電機３０は、固定子１及び回転子２を備える。回転子２は、中心軸として回転軸Ｒを有し、回転子２は、回転軸Ｒを中心として固定子１に対して回転可能である。なお、回転子２及び発電機３０では、回転軸Ｒに沿う軸方向（矢印Ｒ１及び矢印Ｒ２で示す方向）、及び、回転軸Ｒを中心とする径方向（矢印Ｄ１及び矢印Ｄ２で示す方向）が規定される。そして、回転子２及び発電機３０は、径方向について回転軸Ｒに近づく側が内周側となり、径方向について回転軸Ｒから離れる側が外周側となる。また、回転子２及び発電機３０では、回転軸Ｒの軸回り方向である周方向が規定される。
【００１２】
固定子１は、鉄心（固定子鉄心）１ａ及び巻線（固定子巻線）１ｂを備える。鉄心１ａは、回転軸Ｒを中心又は略中心とする環状に形成される。鉄心１ａは、例えば、複数の電磁鋼板を軸方向に積層することにより、形成される。複数の電磁鋼板のそれぞれは、回転軸Ｒを中心又は略中心とする環状に形成される。したがって、鉄心１ａの内周側には、スロットが形成される。巻線１ｂは、鉄心１ａの内周側のスロットに収納される。
【００１３】
回転子２は、環状の固定子１の内周側に配置される。図２は、回転子２を軸方向（回転軸Ｒ）に対して垂直又は略垂直な断面で示す。図３において、（ａ）は図１の一部（後述するファン８α及びその近傍）を詳細に示し、（ｂ）は（ａ）の範囲Ａ１を拡大して示し、（ｃ）は（ａ）において矢印Ｂ１からの矢視を示し、（ｄ）は（ｃ）において矢印Ｃ１からの矢視を示す。図２等では、矢印Ｐ１及び矢印Ｐ２で示す方向が周方向となる。
【００１４】
図１乃至図３（ａ）〜（ｄ）に示すように、回転子２は、回転軸Ｒに沿って延設されるシャフト４を備える。シャフト４の中心軸は、回転軸Ｒと同軸又は略同軸となる。シャフト４は、回転軸Ｒを中心として回転可能な状態に、シャフト受け６によって支持される。回転子２では、シャフト４の外周面に、継鉄７ａが取付けられる。継鉄７ａは、周方向に沿って延設され、回転軸Ｒを中心又は略中心とする環状に形成される。継鉄７ａは、例えば、複数の電磁鋼板を軸方向に積層することにより、形成される。複数の電磁鋼板のそれぞれは、回転軸Ｒを中心又は略中心とする環状に形成される。また、継鉄７ａは、軸方向について両側から、押さえ板７ｂによって押圧される。押さえ板７ｂからの押圧により、継鉄７ａにおいて、複数の電磁鋼板が積層された状態が維持される。また、継鉄７ａは、シャフト４と一緒に、回転軸Ｒを中心として回転する。
【００１５】
継鉄７ａは、例えば、焼嵌めによってシャフト４に取付けられる。また、本実施形態では、シャフト４の外周面に、内周側へ凹む溝１５ａが形成され、継鉄７ａの内周面に、外周側へ凹む溝１５ｂが形成される。そして、キー１５が溝１５ａ，１５ｂに挿入され、かつ、キー１５が溝１５ａ，１５ｂに嵌まった状態で、継鉄７ａがシャフト４に取付けられる。これにより、継鉄７ａ及びシャフト４は、周方向（回転軸Ｒの軸回り方向）について、互いに対して位置決めされる。
【００１６】
回転子２では、継鉄７ａの外周面に複数の磁極３が取付けられる。複数の磁極３は、周方向について互いに対して間隔を空けて配置される。複数の磁極３は、シャフト４及び継鉄７ａと一緒に、回転軸Ｒを中心として回転する。複数の磁極３のそれぞれは、継鉄７ａの外周面から外周側へ突出する突極型磁極である。磁極３のそれぞれは、鉄心（回転子鉄心）３ａ、界磁巻線である巻線（回転子巻線）３ｂ及び押さえ板３ｃを備える。磁極３のそれぞれの鉄心３ａは、複数の電磁鋼板を積層することにより、形成される。また、磁極３のそれぞれでは、鉄心３ａは、継鉄７ａの外周面から外周側へ突出する。また、磁極３のそれぞれでは、鉄心３ａは、回転子２の径方向に交差する方向から、押さえ板３ｃによって押圧される。これにより、磁極３のそれぞれの鉄心３ａにおいて、複数の電磁鋼板が積層された状態が、維持される。
【００１７】
磁極３のそれぞれでは、押さえ板３ｃによって鉄心３ａが押圧された状態で、鉄心３ａに巻線３ｂが巻回される。磁極３のそれぞれでは、巻線３ｂの巻回の中心軸は、回転子２の径方向に沿う。また、本実施形態では、磁極３のそれぞれの鉄心３ａは、回転子２の内周側へ突出するタブ形状の突起１６ａを備える。そして、継鉄７ａの外周面には、回転子２の内周側へ凹むタブ形状の溝１６ｂが、磁極３と同一の数だけ形成される。溝１６ｂのそれぞれには、磁極３の対応する１つの突起１６ａが挿入される。そして、溝１６ｂのそれぞれでは、磁極３の対応する１つの突起１６ａとの隙間に、楔１６が挿入される。これにより、溝１６ｂのそれぞれに、磁極３の対応する１つの突起１６ａ及び楔１６が嵌められる。これにより、磁極３のそれぞれは、継鉄７ａに取付けられ、継鉄７ａに固定される。
【００１８】
複数の磁極３の巻線（界磁巻線）３ｂは、接続構造（図示しない）を介して、互いに対して電気的に接続される。また、複数の磁極３の巻線３ｂは、整流器（図示しない）に電気的に接続される。整流器は、例えば、シャフト４に設置され、励磁機５からの電力を直流電力に変換する。そして、整流器は、変換した直流電力を、複数の磁極３の巻線３ｂに供給する。これにより、複数の磁極３のそれぞれの巻線３ｂに直流電流が流れる。複数の磁極３のそれぞれの巻線３ｂに直流電流が流れている状態で回転子２が回転軸Ｒを中心として回転することにより、回転磁界が形成される。回転磁界が形成されることにより、固定子１の巻線１ｂの鎖交磁束が経時的に変化する。これにより、電磁誘導によって固定子１の巻線１ｂに起電力が発生する。回転子２を回転させる駆動源としては、エンジン、タービン及び水車等が挙げられる。前述のようにして、本実施形態の回転電機である発電機３０は、回転力を電力に変換する発電動作を行う。
【００１９】
また、回転子２では、継鉄７ａには一対のファン８が取付けられる。ファン８のそれぞれは、間に押さえ板７ｂを介して、継鉄７ａに取付けられる。ファン８の一方であるファン８αは、回転軸Ｒに沿う軸方向の一方側から、継鉄７ａに取付けられる。また、ファン８の他方であるファン８βは、軸方向についてファン８αとは反対側から、継鉄７ａに取付けられる。ファン８によって、発電機３０が冷却される。ファン８のそれぞれは、複数の羽８ａ及びファンボス８ｂを備える。ファン８のそれぞれでは、ファンボス８ｂは、回転軸Ｒを中心又は略中心とする環状に形成され、磁極３に対して内周側（回転軸Ｒに近い側）に配置される。また、ファン８のそれぞれでは、複数の羽８ａは、周方向について互いに対して離れて配置され、複数の羽８ａのそれぞれは、ファンボス８ｂから外周側へ突出する。
【００２０】
また、複数の磁極３の中の対応する２つである磁極３αのそれぞれでは、巻線３ｂは、導電帯１０を間に介して、整流器からのケーブル９に接続される。すなわち、磁極３αのそれぞれの巻線３ｂは、整流器からのケーブル９に直接的には接続されない。導電帯１０は、導電性を有し、例えば、銅帯である。導電帯１０の表面には、全体に渡って、絶縁コーティングがされる等の絶縁処理が施されている。以下、磁極３αの一方の巻線３ｂに接続される導電帯１０、及び、その近傍の構成について、説明する。なお、磁極３αの他方の巻線３ｂに接続される導電帯１０、及び、その近傍の構成も、以下の構成と同様である。
【００２１】
導電帯１０は、磁極３αの巻線３ｂへの接続位置１１を有する。導電帯１０は、接続位置１１において、例えばロウ付けによって、巻線３ｂに接続される。導電帯１０は、軸方向延設部１０ａ及び径方向延設部１０ｂを備える。軸方向延設部１０ａは、板状に形成され、巻線（界磁巻線）３ｂへの接続位置１１から、回転子２の軸方向に沿って延設される。そして、軸方向延設部１０ａは、軸方向について磁極３αから離れる側に向かって、接続位置１１から延設される。軸方向延設部１０ａは、回転子２の径方向について、継鉄７ａ及びファンボス８ｂに対して外周側に配置される。また、軸方向延設部１０ａでは、導電帯１０の幅方向が回転子２の周方向と一致又は略一致し、かつ、導電帯１０の厚さ方向が回転子２の径方向と一致又は略一致する。
【００２２】
導電帯１０では、径方向延設部１０ｂは、巻線３ｂへの接続位置１１とは反対側の端で軸方向延設部１０ａに接続される。そして、径方向延設部１０ｂは、軸方向延設部１０ａから径方向に沿って内周側へ延設される。径方向延設部１０ｂは、軸方向について、ファン８（８α）のファンボス８ｂに対して継鉄７ａとは反対側に配置される。また、軸方向についてファンボス８ｂと径方向延設部１０ｂとの間には、隙間が形成される。径方向延設部１０ｂでは、導電帯１０の幅方向が回転子２の周方向と一致又は略一致し、かつ、導電帯１０の厚さ方向が回転子２の軸方向と一致又は略一致する。径方向延設部１０ｂは、軸方向延設部１０ａへの接続部分とは反対側の端で、すなわち、内周側の端で、整流器からのケーブル９に接続される。本実施形態では、ボルト１２等を用いた締結によって、径方向延設部１０ｂがケーブル９に接続される。前述のように軸方向延設部１０ａ及び径方向延設部１０ｂが形成されるため、本実施形態では、導電帯１０は、回転子２の周方向から視てＬ字形状又は略Ｌ字形状に形成される。
【００２３】
また、ファン８（８α）のファンボス８ｂには、溶接等によって、突起部材である角材１８ａ，１８ｂが取付けられる。角材１８ａ，１８ｂのそれぞれは、軸方向について継鉄７ａとは反対側へファンボス８ｂから突出する状態で、ファンボス８ｂに取付けられる。角材１８ａ，１８ｂは、周方向について互いに対して離れて配置される。角材１８ａ，１８ｂには、金具（第１の金具）１９ａが取付けられる。金具１９ａは、例えば、鋼板を折り曲げる等して、形成される。金具１９ａは、軸方向について継鉄７ａとは反対側へファンボス８ｂから離れて配置される。したがって、軸方向についてファンボス８ｂと金具１９ａとの間には、隙間が形成される。
【００２４】
図４は、金具（第１の金具）１９ａの構成を示す。図３（ａ）〜（ｄ）及び図４等に示すように、金具１９ａは、接続板部２２ａ１，２２ａ２、中継板部２０ａ１，２０ａ２及び支持板部２３ａを備える。接続板部２２ａ１，２２ａ２は、回転子２の周方向について、互いに対して離れて配置される。接続板部（第１の接続板部）２２ａ１は、ネジ２５ａを介して、角材（第１の突起部材）１８ａに接続され、接続板部（第２の接続板部）２２ａ２は、ネジ２５ｂを介して、角材（第２の突起部材）１８ｂに接続される。接続板部２２ａ１は、回転子２の径方向について内周側から角材１８ａに当接し、接続板部２２ａ２は、回転子２の径方向について内周側から角材１８ｂに当接する。また、接続板部２２ａ１，２２ａ２のそれぞれは、幅方向が回転子２の軸方向と一致又は略一致し、かつ、厚さ方向が回転子２の径方向と一致又は略一致する状態で、配置される。
【００２５】
中継板部２０ａ１，２０ａ２及び支持板部２３ａは、回転子２の周方向について、角材１８ａ，１８ｂの間に配置される。中継板部２０ａ１，２０ａ２は、回転子２の周方向について、互いに対して離れて配置される。中継板部（第１の中継板部）２０ａ１は、接続板部２２ａ１から外周側へ向かって延設され、中継板部（第２の中継板部）２０ａ２は、接続板部２２ａ２から外周側へ向かって延設される。中継板部２０ａ１，２０ａ２のそれぞれは、幅方向が回転子２の軸方向と一致又は略一致し、かつ、厚さ方向が回転子２の周方向と一致又は略一致する状態で、配置される。
【００２６】
支持板部２３ａは、中継板部２０ａ１から中継板部２０ａ２まで、周方向に沿って延設される。中継板部２０ａ１では、接続板部２２ａ１への接続部分とは反対側の端に、支持板部２３ａが接続される。そして、中継板部２０ａ２では、接続板部２２ａ２への接続部分とは反対側の端に、支持板部２３ａが接続される。このため、支持板部２３ａは、接続板部２２ａ１，２２ａ２に対して外周側に配置される。また、支持板部２３ａは、幅方向が回転子２の軸方向と一致又は略一致し、かつ、厚さ方向が回転子２の径方向と一致又は略一致する状態で、配置される。
【００２７】
前述のように金具１９ａが形成されるため、本実施形態では、金具１９ａは、軸方向から視てゲート形状又は略ゲート形状（Ｕ字形状又は略Ｕ字形状）に形成される。また、支持板部２３ａは、回転子２の周方向に沿って第１の寸法Ｌ１を有する。そして、中継板部２０ａ１，２０ａ２のそれぞれは、回転子２の径方向に沿って第２の寸法Ｌ２を有する。第２の寸法Ｌ２は、第１の寸法Ｌ１に比べて大きい。
【００２８】
本実施形態では、導電帯１０の軸方向延設部１０ａは、回転子２の周方向について、金具１９ａの中継板部２０ａ１，２０ａ２の間に配置される。そして、金具１９ａの支持板部２３ａは、内周側から、軸方向延設部１０ａに当接する。金具１９ａの支持板部２３ａは、導電帯１０の軸方向延設部１０ａと一緒に、糸（第１の糸）１４ａによって縛られる。すなわち、糸１４ａは、軸方向延設部１０ａ及び支持板部２３ａに取付けられる。これにより、支持板部２３ａは、径方向について内周側から、軸方向延設部１０ａを支持する。支持板部２３ａは、糸１４ａで縛られる箇所において、軸方向延設部１０ａと一緒に回転子２の周方向に移動可能な状態で、軸方向延設部１０ａを支持する。
【００２９】
ファン８（８α）のファンボス８ｂには、溶接等によって、金具（第２の金具）１３が取付けられる。金具１３は、軸方向について継鉄７ａとは反対側から、ファンボス８ｂへ取付けられる。金具１３は、例えば、鋼板を折り曲げる等して、形成される。金具１３は、回転子２の径方向について、接続板部２２ａ１，２２ａ２に対して外周側で、かつ、支持板部２３ａ及び軸方向延設部１０ａに対して内周側に配置される。また、金具１３は、軸方向について、導電帯１０の径方向延設部１０ｂとファン８αのファンボス８ｂとの間に配置される。そして、本実施形態では、金具１３は、周方向について、中継板部２０ａ１，２０ａ２の間に配置される。ただし、周方向について中継板部２０ａ１，２０ａ２のそれぞれと金具１３との間には、隙間が形成される。
【００３０】
金具１３は、延設板部１３ａ〜１３ｄを備える。延設板部１３ａ，１３ｃのそれぞれは、幅方向が回転子２の周方向と一致又は略一致し、かつ、厚さ方向が回転子２の軸方向と一致又は略一致する状態で、配置される。また、延設板部１３ｂ，１３ｄのそれぞれは、幅方向が回転子２の周方向と一致又は略一致し、かつ、厚さ方向が回転子２の径方向と一致又は略一致する状態で、配置される。延設板部１３ａは、回転子２の径方向に沿って延設される。延設板部１３ａは、軸方向について継鉄７ａとは反対側から、ファンボス８ｂへ溶接等によって取付けられる。
【００３１】
延設板部１３ｂは、延設板部１３ａの外周側の端に接続される。そして、延設板部１３ｂは、延設板部１３ａから回転子２の軸方向に沿って、継鉄７ａ及びファンボス８ｂから離れる側に向かって延設される。延設板部１３ｂは、導電帯１０の軸方向延設部１０ａ及び金具１９ａの支持板部２３ａに対して内周側に配置される。本実施形態では、径方向について支持板部２３ａと延設板部１３ｂとの間には、隙間が形成される。また、延設板部１３ｂでは、延設板部１３ａへの接続部分とは反対側の端に、延設板部１３ｃが接続される。延設板部１３ｃは、延設板部１３ｂから内周側に向かって延設される。延設板部１３ｃは、延設板部１３ａに対して、軸方向について継鉄７ａとは反対側に離れて配置される。
【００３２】
また、延設板部１３ｃでは、延設板部１３ｂへの接続部分とは反対側の端、すなわち、内周側の端に、延設板部１３ｄが接続される。延設板部１３ｄは、延設板部１３ｃから回転子２の軸方向に沿って、継鉄７ａ及びファンボス８ｂに近づく側に向かって延設される。延設板部１３ｄでは、延設板部１３ｃへの接続部分とは反対側の端が、延設板部１３ａに当接する。延設板部１３ｄは、延設板部１３ｂに対して、径方向について内周側に離れて配置される。また、延設板部１３ａは、延設板部１３ｄに対して内周側にさらに突出し、延設板部１３ａの内周側の端は、延設板部１３ｄに対して内周側に配置される。前述のように金具１３が形成されるため、本実施形態では、金具１３は、周方向から視てＰ字形状又は略Ｐ字形状に形成される。
【００３３】
本実施形態では、金具１３の延設板部１３ｃは、軸方向について継鉄７ａ及びファンボス８ｂが位置する側から、導電帯１０の径方向延設部１０ｂに当接する。そして、延設板部１３ｃは、導電帯１０の径方向延設部１０ｂと一緒に、糸（第２の糸）１４ｂによって縛られる。すなわち、糸１４ｂは、径方向延設部１０ｂ及び金具１３に取付けられる。これにより、延設板部１３ｃは、軸方向についてファン８（８α）が位置する側から、径方向延設部１０ｂを支持する。
【００３４】
ここで、回転子を回転させる駆動源となるエンジンでは、機関内の燃焼における爆発力に起因して、周期的に変化する加振力が発生し、加振力によってねじり振動が発生する。エンジンでのねじり振動は、シャフト４等を介して回転子２に伝達され、回転子２にねじり振動トルクが回転軸Ｒの軸回りのモーメントとして発生する。ねじり振動トルクＴの大きさは、ねじり振動の角速度ａと慣性モーメントＩを用いて、式（１）のようになる。
【００３５】
【数１】
0006843956.tif 000002
【００３６】
ここで、本実施形態では、継鉄７ａは、焼き嵌め等によってシャフト４と一体構造となるが、磁極３のそれぞれは、径方向の外周側へ継鉄７ａから突出する構造となる。このため、磁極３のそれぞれでは、慣性モーメントＩが大きくなる。したがって、エンジンから回転子２にねじり振動が伝達されることにより、磁極３のそれぞれでは、式（１）で示す大きさのねじり振動トルクが発生する（図２の矢印Ｔ）。これより、磁極３のそれぞれは、シャフト４及び継鉄７ａに対して、周方向の一方側（矢印Ｐ１側）及び他方側（矢印Ｐ２）に交互に変位し、周方向について振動する。
【００３７】
ここで、比較例に係る回転子２を図５（ａ）〜（ｄ）に示す。図５において、（ａ）はファン８α及びその近傍を詳細に示し、（ｂ）は（ａ）の範囲Ａ０を拡大して示し、（ｃ）は（ａ）において矢印Ｂ０からの矢視を示し、（ｄ）は（ｃ）において矢印Ｃ０からの矢視を示す。図５（ａ）〜（ｄ）に示すように、比較例の回転子２でも、本実施形態と同様に、磁極３αの巻線３ｂは、導電帯１０を介してケーブル９に接続される。そして、導電帯１０は、軸方向延設部１０ａ及び径方向延設部１０ｂを備える。ただし、比較例では、金具（第１の金具）１９ａが設けられず、角材（突起部材）１８ａ，１８ｂが設けられない。
【００３８】
また、比較例でも、本実施形態と同様に、ファン８αのファンボス８ｂに、金具１３が取付けられ、金具１３は、周方向から視てＰ字形状又は略Ｐ字形状に形成される。比較例でも、金具１３の延設板部１３ａが、軸方向について継鉄７ａとは反対側から、ファンボス８ｂへ溶接等によって取付けられる。そして、比較例でも、金具１３の延設板部１３ｃは、導電帯１０の径方向延設部１０ｂと一緒に、糸（第２の糸）１４ｂによって縛られ、延設板部１３ｃは、軸方向についてファン８（８α）が位置する側から、径方向延設部１０ｂを支持する。
【００３９】
ただし、比較例では、金具１３の延設板部１３ｂが、径方向について内周側から、導電帯１０の軸方向延設部１０ａに当接する。そして、延設板部１３ｂは、導電帯１０の軸方向延設部１０ａと一緒に、糸（第１の糸）１４ａによって縛られ、延設板部１３ｂは、内周側から、軸方向延設部１０ａを支持する。したがって、比較例では、軸方向延設部１０ａは、金具１９ａではなく金具１３によって、径方向について内周側から支持される。
【００４０】
図６は、比較例において、磁極３αにねじり振動トルクが発生した状態での、導電帯１０の巻線３ｂへの接続位置１１及びその近傍を示す。比較例では、図６に示すように、ねじり振動トルクＴによって磁極３αが周方向に振動することにより、導電帯１０の軸方向延設部１０ａは、特に、巻線３ｂへの接続位置１１と糸１４ａによって縛られる位置との間において、変形する。軸方向延設部１０ａが前述のように変形することにより、導電帯１０において巻線３ｂへの接続位置１１に繰返し力が作用し、接続位置１１及びその近傍に応力が発生する。これにより、導電帯１０の巻線３ｂへの接続が破断される可能性がある。なお、図６では、導電帯１０の軸方向延設部１０ａの変形は誇張して示され、実際の軸方向延設部１０ａの変形量は、図６に比べて遥かに小さい。
【００４１】
図７は、本実施形態において、磁極３αにねじり振動トルクが発生した状態での金具（第１の金具）１９ａを示す。前述のように、本実施形態では、金具１９ａは、軸方向について継鉄７ａとは反対側へファン８（８α）から離れた状態で、角材（突起部材）１８ａ，１８ｂに取付けられる。そして、金具１９ａは、前述のように接続板部２２ａ１，２２ａ２、中継板部２０ａ１，２０ａ２及び支持板部２３ａを備える。そして、支持板部２３ａは、導電帯１０の軸方向延設部１０ａと一緒に糸１４ａで縛られ、軸方向延設部１０ａを内周側から支持する。このため、本実施形態では、ねじり振動トルクによって磁極３αが周方向に振動しても、金具１９ａの中継板部２０ａ１，２０ａ２は、図７に示すように、径方向に沿う状態から、径方向に対して周方向へ傾斜する状態に変形する。なお、図７では、中継板部２０ａ１，２０ａ２の変形は誇張して示され、実際の中継板部２０ａ１，２０ａ２の変形量は、図７に比べて遥かに小さい。
【００４２】
前述のように中継板部２０ａ１，２０ａ２が変形することにより、糸１４ａで縛られる箇所において、磁極３αの周方向への振動に追従して、支持板部２３ａ及び軸方向延設部１０ａが一緒に回転子２の周方向へ変位する。すなわち、磁極３αが周方向に振動している状態では、支持板部２３ａは、回転子２の周方向へ軸方向延設部１０ａが一緒に変位する状態に、軸方向延設部１０ａを支持する。前述のように糸１４ａで縛られる箇所において支持板部２３ａ及び軸方向延設部１０ａが変位することにより、巻線３ｂへの接続位置１１での導電帯１０の周方向の変位に対する糸１４ａで縛られる箇所（支持板部２３ａで支持される箇所）での導電帯１０の周方向への変位の差が、小さくなる。したがって、磁極３αにねじり振動トルクが発生しても、接続位置１１及びその近傍において発生する応力が低減され、導電帯１０の巻線３ｂへの接続が確保される。すなわち、本実施形態では、導電帯１０の巻線３ｂへの接続が、適切に確保される。
【００４３】
また、金具１９ａでは、支持板部２３ａの回転子２の周方向に沿った第１の寸法Ｌ１に比べて、中継板部２０ａ１，２０ａ２のそれぞれの回転子２の径方向に沿った第２の寸法Ｌ２は、大きい。このため、ねじり振動トルクによる磁極３αの周方向への振動に追従して、金具１９ａの中継板部２０ａ１，２０ａ２は、前述のように変形し易い。したがって、糸１４ａで縛られる箇所では、磁極３αの周方向への振動に追従して、支持板部２３ａ及び軸方向延設部１０ａが一緒に回転子２の周方向へ変位し易い。これにより、導電帯１０の巻線３ｂへの接続が、さらに適切に確保される。
【００４４】
（第２の実施形態）  
図８（ａ）〜（ｄ）は、第２の実施形態に係る回転子２を示す。図８において、（ａ）はファン８α及びその近傍を詳細に示し、（ｂ）は（ａ）の範囲Ａ２を拡大して示し、（ｃ）は（ａ）において矢印Ｂ２からの矢視を示し、（ｄ）は（ｃ）において矢印Ｃ２からの矢視を示す。
【００４５】
図８（ａ）〜（ｄ）に示すように、本実施形態でも第１の実施形態と同様に、金具１９ａは、軸方向について継鉄７ａとは反対側へファン８（８α）から離れた状態で、角材（突起部材）１８ａ，１８ｂに取付けられる。そして、金具１９ａは、前述のように接続板部２２ａ１，２２ａ２、中継板部２０ａ１，２０ａ２及び支持板部２３ａを備える。そして、支持板部２３ａは、導電帯１０の軸方向延設部１０ａと一緒に糸１４ａで縛られ、軸方向延設部１０ａを内周側から支持する。ただし、本実施形態では第１の実施形態とは異なり、金具１３及び糸１４ｂが設けられない。このため、導電帯１０の径方向延設部１０ｂは、支持されない。
【００４６】
本実施形態でも、第１の実施形態と同様の作用及び効果を奏する。また、本実施形態では、径方向延設部１０ｂが支持されていないため、糸１４ａで縛られる箇所では、磁極３αの周方向への振動に追従して、支持板部２３ａ及び軸方向延設部１０ａが一緒に回転子２の周方向へさらに変位し易い。これにより、磁極３αにねじり振動トルクが発生している状態において、接続位置１１及びその近傍において発生する応力がさらに低減され、導電帯１０の巻線３ｂへの接続がさらに適切に確保される。
【００４７】
（第３の実施形態）  
図９（ａ）〜（ｄ）は、第３の実施形態に係る回転子２を示す。図９において、（ａ）はファン８α及びその近傍を詳細に示し、（ｂ）は（ａ）の範囲Ａ３を拡大して示し、（ｃ）は（ａ）において矢印Ｂ３からの矢視を示し、（ｄ）は（ｃ）において矢印Ｃ３からの矢視を示す。
【００４８】
図９（ａ）〜（ｄ）に示すように、本実施形態でも第１の実施形態と同様に、金具（第２の金具）１３の延設板部１３ｃは、導電帯１０の径方向延設部１０ｂと一緒に糸（第２の糸）１４ｂで縛られ、軸方向についてファン８（８α）が位置する側から径方向延設部１０ｂを支持する。そして、金具１９ａは、軸方向について継鉄７ａとは反対側へファン８（８α）から離れた状態で、角材（突起部材）１８ａ，１８ｂに取付けられる。そして、金具１９ａは、前述のように接続板部２２ａ１，２２ａ２、中継板部２０ａ１，２０ａ２及び支持板部２３ａを備える。そして、支持板部２３ａは、導電帯１０の軸方向延設部１０ａと一緒に糸１４ａで縛られる。ただし、本実施形態では第１の実施形態とは異なり、支持板部２３ａは、導電帯１０の軸方向延設部１０ａに外周側から当接し、軸方向延設部１０ａを外周側から支持する。本実施形態でも前述の実施形態等と同様に、支持板部２３ａは、糸１４ａで縛られる箇所において、軸方向延設部１０ａと一緒に回転子２の周方向に移動可能な状態で、軸方向延設部１０ａを支持する。
【００４９】
本実施形態でも、第１の実施形態と同様の作用及び効果を奏する。また、本実施形態では、金具１９ａの支持板部２３ａは、径方向について外周側から、導電帯１０の軸方向延設部１０ａを支持する。このため、回転子２が回転軸Ｒを中心として回転している状態において、遠心力による軸方向延設部１０ａの外周側への変形が、支持板部２３ａによって抑制される。遠心力による軸方向延設部１０ａの変形が抑制されることにより、導電帯１０の巻線３ｂへの接続がさらに適切に確保される。
【００５０】
（第４の実施形態）  
図１０（ａ）〜（ｄ）は、第４の実施形態に係る回転子２を示す。図１０において、（ａ）はファン８α及びその近傍を詳細に示し、（ｂ）は（ａ）の範囲Ａ４を拡大して示し、（ｃ）は（ａ）において矢印Ｂ４からの矢視を示し、（ｄ）は（ｃ）において矢印Ｃ４からの矢視を示す。
【００５１】
図１０（ａ）〜（ｄ）に示すように、本実施形態でも第３の実施形態と同様に、金具１９ａは、軸方向について継鉄７ａとは反対側へファン８（８α）から離れた状態で、角材（突起部材）１８ａ，１８ｂに取付けられる。そして、金具１９ａは、前述のように接続板部２２ａ１，２２ａ２、中継板部２０ａ１，２０ａ２及び支持板部２３ａを備える。そして、支持板部２３ａは、導電帯１０の軸方向延設部１０ａと一緒に糸１４ａで縛られ、軸方向延設部１０ａを外周側から支持する。ただし、本実施形態では第３の実施形態とは異なり、金具１３及び糸１４ｂが設けられない。このため、導電帯１０の径方向延設部１０ｂは、支持されない。
【００５２】
本実施形態でも、第３の実施形態と同様の作用及び効果を奏する。また、本実施形態では、径方向延設部１０ｂが支持されていないため、糸１４ａで縛られる箇所では、磁極３αの周方向への振動に追従して、支持板部２３ａ及び軸方向延設部１０ａが一緒に回転子２の周方向へさらに変位し易い。これにより、磁極３αにねじり振動トルクが発生している状態において、接続位置１１及びその近傍において発生する応力がさらに低減され、導電帯１０の巻線３ｂへの接続がさらに適切に確保される。
【００５３】
（第５の実施形態）  
図１１（ａ）〜（ｄ）は、第５の実施形態に係る回転子２を示す。図１１において、（ａ）はファン８α及びその近傍を詳細に示し、（ｂ）は（ａ）の範囲Ａ５を拡大して示し、（ｃ）は（ａ）において矢印Ｂ５からの矢視を示し、（ｄ）は（ｃ）において矢印Ｃ５からの矢視を示す。
【００５４】
図１１（ａ）〜（ｄ）に示すように、本実施形態でも第４の実施形態と同様に、金具１９ａは、軸方向について継鉄７ａとは反対側へファン８（８α）から離れた状態で、角材（突起部材）１８ａ，１８ｂに取付けられる。そして、金具１９ａは、前述のように接続板部２２ａ１，２２ａ２、中継板部２０ａ１，２０ａ２及び支持板部２３ａを備える。そして、支持板部２３ａは、軸方向延設部１０ａを外周側から支持する。そして、金具１３及び糸１４ｂが設けらず、導電帯１０の径方向延設部１０ｂは、支持されない。
【００５５】
ただし、本実施形態では第４の実施形態等とは異なり、糸１４ａが設けられず、導電帯１０の軸方向延設部１０ａ及び金具１９ａの支持板部２３ａは、糸１４ａ等で縛られない。本実施形態では、導電帯１０の幅方向についての軸方向延設部１０ａの幅寸法Ｗ１が、金具１９ａの中継板部２０ａ１，２０ａ２の間の離間距離Ｗ２と、一致又は略一致する。本実施形態でも、前述の実施形態等と同様に、軸方向延設部１０ａでは、導電帯１０の幅方向が、回転子２の周方向と一致又は略一致する。このため、本実施形態の軸方向延設部１０ａでは、導電帯１０の幅方向について一方側の縁に、金具１９ａの中継板部（第１の中継板部）２０ａ１が当接する。そして、軸方向延設部１０ａでは、導電帯１０の幅方向について中継板部２０ａ１が当接する側とは反対側の縁に、金具１９ａの中継板部（第２の中継板部）２０ａ２が当接する。したがって、本実形態では、軸方向延設部１０ａは、周方向について中継板部２０ａ１，２０ａ２の間で挟まれる。
【００５６】
本実施形態は、軸方向延設部１０ａは、周方向について中継板部２０ａ１，２０ａ２の間で挟まれた状態で、支持板部２３ａに外周側から支持される。このため、金具１９ａの支持板部２３ａによって支持される箇所では、磁極３αの周方向への振動に追従して、支持板部２３ａ及び軸方向延設部１０ａが一緒に回転子２の周方向へ変位し易い。これにより、磁極３αにねじり振動トルクが発生している状態において、接続位置１１及びその近傍において発生する応力が低減され、導電帯１０の巻線３ｂへの接続が適切に確保される。
【００５７】
（第６の実施形態）  
図１２（ａ）〜（ｄ）は、第６の実施形態に係る回転子２を示す。図１２において、（ａ）はファン８α及びその近傍を詳細に示し、（ｂ）は（ａ）の範囲Ａ６を拡大して示し、（ｃ）は（ａ）において矢印Ｂ６からの矢視を示し、（ｄ）は（ｃ）において矢印Ｃ６からの矢視を示す。図１２（ａ）〜（ｄ）に示すように、本実施形態では、金具１９ａの代わりに金具（第１の金具）１９ｂが、突起部材である角材１８ａ，１８ｂに取付けられる。金具１９ｂは、前述の実施形態等の金具１９ａと同様に、軸方向について継鉄７ａとは反対側へファンボス８ｂから離れて配置される。
【００５８】
図１３は、金具（第１の金具）１９ｂの構成を示す。図１２（ａ）〜（ｄ）及び図１３等に示すように、金具１９ｂは、例えば、２枚の鋼板１９ｂ１，１９ｂ２のそれぞれを折り曲げた後、鋼板１９ｂ１，１９ｂ２を互いに対して溶接する等して、形成される。金具１９ｂは、接続板部２２ｂ、中継板部２０ｂ及び支持板部２３ｂを備える。接続板部２２ｂは、ネジ２５ａを介して角材（第１の突起部材）１８ａに接続され、ネジ２５ｂを介して角材（第２の突起部材）１８ｂに接続される。接続板部２２ｂは、回転子２の径方向について内周側から角材１８ａ，１８ｂに当接する。また、接続板部２２ｂは、前述の実施形態等の接続板部２２ａ１，２２ａ２と同様に、幅方向が回転子２の軸方向と一致又は略一致し、かつ、厚さ方向が回転子２の径方向と一致又は略一致する状態で、配置される。
【００５９】
中継板部２０ｂは、回転子２の周方向について、角材１８ａ，１８ｂの間に配置される。中継板部２０ｂは、接続板部２２ｂから外周側へ向かって延設される。中継板部２０ｂは、前述の実施形態等の中継板部２０ａ１，２０ａ２と同様に、幅方向が回転子２の軸方向と一致又は略一致し、かつ、厚さ方向が回転子２の周方向と一致又は略一致する状態で、配置される。支持板部２３ｂは、周方向に沿って延設される。中継板部２０ｂでは、接続板部２２ｂへの接続部分とは反対側の端に、支持板部２３ｂが接続される。このため、支持板部２３ｂは、接続板部２２ｂに対して外周側に配置される。また、支持板部２３ｂは、前述の実施形態等の支持板部２３ａと同様に、幅方向が回転子２の軸方向と一致又は略一致し、かつ、厚さ方向が回転子２の径方向と一致又は略一致する状態で、配置される。
【００６０】
前述のように金具１９ｂが形成されるため、本実施形態では、金具１９ｂは、軸方向から視てＩ字形状又は略Ｉ字形状に形成される。また、支持板部２３ｂは、回転子２の周方向に沿って第１の寸法Ｌ１を有する。そして、中継板部２０ｂは、回転子２の径方向に沿って第２の寸法Ｌ２を有する。本実施形態でも、前述の実施形態等と同様に、第２の寸法Ｌ２は、第１の寸法Ｌ１に比べて大きい。
【００６１】
本実施形態では、支持板部２３ｂは、第１の実施形態及び第２の実施形態等の支持板部２３ａと同様に、内周側から、導電帯１０の軸方向延設部１０ａに当接する。そして、金具１９ｂの支持板部２３ｂは、導電帯１０の軸方向延設部１０ａと一緒に、糸（第１の糸）１４ａによって縛られる。これにより、支持板部２３ｂは、第１の実施形態及び第２の実施形態等の支持板部２３ａと同様に、径方向について内周側から、軸方向延設部１０ａを支持する。そして、支持板部２３ｂは、糸１４ａで縛られる箇所において、軸方向延設部１０ａと一緒に回転子２の周方向に移動可能な状態で、軸方向延設部１０ａを支持する。なお、本実施形態では、第２の実施形態等と同様に、金具１３及び糸１４ｂは設けられず、導電帯１０の径方向延設部１０ｂは支持されない。
【００６２】
本実施形態では、ねじり振動トルクによって前述のように磁極３αが周方向に振動すると、中継板部２０ｂは、前述の実施形態等の中継板部２０ａ１，２０ａ２と同様に、径方向に沿う状態から、径方向に対して周方向へ傾斜する状態に変形する。中継板部２０ｂが変形することにより、糸１４ａで縛られる箇所において、磁極３αの周方向への振動に追従して、支持板部２３ｂ及び軸方向延設部１０ａが一緒に回転子２の周方向へ変位する。前述のように糸１４ａで縛られる箇所において支持板部２３ｂ及び軸方向延設部１０ａが変位することにより、巻線３ｂへの接続位置１１での導電帯１０の周方向の変位に対する糸１４ａで縛られる箇所（支持板部２３ｂで支持される箇所）での導電帯１０の周方向への変位の差が、小さくなる。したがって、磁極３αにねじり振動トルクが発生しても、接続位置１１及びその近傍において発生する応力が低減され、導電帯１０の巻線３ｂへの接続が確保される。すなわち、本実施形態でも前述の実施形態と同様に、導電帯１０の巻線３ｂへの接続が、適切に確保される。
【００６３】
また、金具１９ｂでは、支持板部２３ｂの回転子２の周方向に沿った第１の寸法Ｌ１に比べて、中継板部２０ｂの回転子２の径方向に沿った第２の寸法Ｌ２は、大きい。このため、ねじり振動トルクによる磁極３αの周方向への振動に追従して、金具１９ｂの中継板部２０ｂは、前述のように変形し易い。したがって、糸１４ａで縛られる箇所では、磁極３αの周方向への振動に追従して、支持板部２３ｂ及び軸方向延設部１０ａが一緒に回転子２の周方向へ変位し易い。これにより、導電帯１０の巻線３ｂへの接続が、さらに適切に確保される。前述のように、本実施形態でも、前述の実施形態等と同様の作用及び効果を奏する。
【００６４】
（変形例）  
また、ある変形例では、第６の実施形態と同様に、金具１９ｂが設けられ、金具１９ｂの支持板部２３ｂによって、導電帯１０の軸方向延設部１０ａが支持される。ただし、支持板部２３ｂは、径方向について外周側から軸方向延設部１０ａに当接し、外周側から軸方向延設部１０ａを支持する。本変形例でも、支持板部２３ｂは、糸１４ａで縛られる箇所において、軸方向延設部１０ａと一緒に回転子２の周方向に移動可能な状態で、軸方向延設部１０ａを支持する。このため、本変形例でも、前述の実施形態等と同様の作用及び効果を奏する。
【００６５】
また、ある変形例では、金具１９ｂの支持板部２３ｂによって導電帯１０の軸方向延設部１０ａが支持されるとともに、第１の実施形態等と同様に、金具（第２の金具）１３及び糸１４ｂが設けられてもよい。本変形例では、金具１３の延設板部１３ｃが導電帯１０の径方向延設部１０ｂと一緒に糸１４ｂで縛られ、金具１３は、軸方向についてファン８（８α）が位置する側から径方向延設部１０ｂを支持する。本変形例でも、支持板部２３ｂは、糸１４ａで縛られる箇所において、軸方向延設部１０ａと一緒に回転子２の周方向に移動可能な状態で、軸方向延設部１０ａを支持する。このため、本変形例でも、前述の実施形態等と同様の作用及び効果を奏する。
【００６６】
また、ある変形例では、金具１９ａ，１９ｂ等の代わりに金具（第１の金具）１９ｃが設けられる。本変形例では、軸方向について継鉄７ａとは反対側へファン８のファンボス８ｂから突出する角材１８ａ，１８ｂと同様の角材（突起部材）が、１つのみ設けられる。そして、金具１９ｃは、金具１９ａ，１９ｂ等と同様に、軸方向について継鉄７ａとは反対側へファンボス８ｂから離れた状態で、角材に取付けられる。金具（第１の金具）１９ｃは、接続板部２２ｃ、中継板部２０ｃ及び支持板部２３ｃを備える。
【００６７】
接続板部２２ｃは、前述の接続板部２２ｂ等と同様に、ファン８から突出する角材（突起部材）へ接続される。支持板部２３ｃは、前述の支持板部２３ｂ等と同様に、回転子２の周方向に沿って延設され、導電帯１０の軸方向延設部１０ａを内周側又は外周側から支持する。中継板部２０ｃは、前述の中継板部２０ｂ等と同様に、接続板部２２ｃから支持板部２３ｃまで外周側へ向かって延設される。そして、支持板部２３ｃは、糸１４ａによって軸方向延設部１０ａと一緒に縛られる等することにより、導電帯１０の軸方向延設部１０ａと一緒に周方向に移動可能な状態で、軸方向延設部１０ａを支持する。このため、本変形例でも、前述の実施形態等と同様の作用及び効果を奏する。
【００６８】
また、本変形例の金具１９ｃでは、支持板部２３ｃの回転子２の周方向に沿った第１の寸法Ｌ１に比べて、中継板部２０ｃの回転子２の径方向に沿った第２の寸法Ｌ２は、大きい。このため、本変形例でも、前述の実施形態等と同様に、導電帯１０の巻線３ｂへの接続が、さらに適切に確保される。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…固定子、２…回転子、３…磁極、３ａ…鉄心（回転子鉄心）、３ｂ…巻線（回転子巻線）、７ａ…継鉄、８…ファン、９…ケーブル、１０…導電帯、１０ａ…軸方向延設部、１０ｂ…径方向延設部、１１…接続位置、１３…金具（第２の金具）、１４ａ…糸（第１の糸）、１４ｂ…糸（第２の糸）、１８ａ，１８ｂ…角材（突起部材）、１９ａ，１９ｂ，１９ｃ…金具（第１の金具）、２０ａ１，２０ａ２，２０ｂ，２０ｃ…中継板部、２２ａ１，２２ａ２，２２ｂ，２２ｃ…接続板部、２３ａ，２３ｂ，２３ｃ…支持板部。
【要約】
【課題】導電帯を間に介して磁極の巻線が整流器からのケーブルに接続される構成において、磁極の巻線への導電帯の接続が適切に確保される回転電機の回転子を提供すること。
【解決手段】実施形態の回転電機の回転子によれば、磁極の鉄心は、継鉄から外周側に突出し、界磁巻線が鉄心に巻回される。ファンは、回転軸に沿う軸方向の一方側から継鉄に取付けられ、導電帯は、界磁巻線に接続される。突起部材は、継鉄とは反対側へファンから突出し、金具は、軸方向についてファンから離れた状態で突起部材に取付けられる。導電帯の軸方向延設部は、界磁巻線への接続位置から軸方向に沿って延設され、金具では、接続板部が、突起部材へ接続される。金具では、支持板部が、軸方向延設部と一緒に糸によって縛られることにより、軸方向延設部を支持し、中継板部が、接続板部から支持板部まで外周側へ延設される。
【選択図】図３【図１】
0006843956.tif 000003
【図２】
0006843956.tif 000004
【図３】
0006843956.tif 000005
【図４】
0006843956.tif 000006
【図５】
0006843956.tif 000007
【図６】
0006843956.tif 000008
【図７】
0006843956.tif 000009
【図８】
0006843956.tif 000010
【図９】
0006843956.tif 000011
【図１０】
0006843956.tif 000012
【図１１】
0006843956.tif 000013
【図１２】
0006843956.tif 000014
【図１３】
0006843956.tif 000015
【図１４】
0006843956.tif 000016